(57)【要約】【課題】網戸等の枠体の梱包結束を解いた後、枠体コーナー部と建物内外装との接触による破損等から双方を保護し、網戸の運搬や立てかけの際に、網戸コーナー部からの落下を防ぎ、かつ網を傷つけることなく網戸のコーナー部に容易に取付け及びコーナー部からの取外しを行うことができる、網戸のコーナー部保護材を提供すること。【解決手段】網戸のコーナー部を覆う保護材１であって、網戸のコーナー部の隣接する端面Ａ１及び側面Ａ２をそれぞれ覆う端面覆い部２及び側面覆い部３と、網戸のコーナー部の内面Ａ３及び外面Ａ４をそれぞれ覆う内面覆い部４及び外面覆い部５とを備え、前記端面覆い部２、側面覆い部３、内面覆い部４及び外面覆い部５を一体化し、前記内面覆い部２に前記枠体の段差面Ａ５に係止可能な係止部６を形成する。この係止部６は、前記内面覆い部面に実質的に沿う状態と前記枠体の段差面Ａ５に係止する状態とが選択可能であるものとする。【選択図】図３
2004168353.tif 000002
【特許請求の範囲】
【請求項１】
枠体内に網が設けられ、前記網の面が枠体の室内面より室外側に偏位して、前記枠体の室内面と前記網の面との間に段差を有する網戸のコーナー部を覆う保護材であって、
網戸のコーナー部の隣接する端面及び側面をそれぞれ覆う端面覆い部及び側面覆い部と、網戸のコーナー部の内外面をそれぞれ覆う内面覆い部及び外面覆い部とを備え、前記端面覆い部、側面覆い部、内面覆い部及び外面覆い部は一体化され、
前記内面覆い部に前記枠体の段差面に係止可能な係止部が形成され、この係止部は、前記内面覆い部面に実質的に沿う状態と前記枠体の段差面に係止する状態とが選択可能である、
ことを特徴とする網戸のコーナー部保護材。
【請求項２】
内面覆い部が、網戸のコーナー部の隣接する端面と側面が直交する部分を頂点とした直角三角形状の網戸のコーナー部保護材であって、係止部が、前記内面覆い部の斜面の略中央に、直角に交わる他の二辺に向かってそれぞれ略平行に少なくとも一以上の切込みによって形成された三角形状の舌片である請求項１記載の、
網戸のコーナー部保護材。
【請求項３】
内面覆い部が、網戸のコーナー部の隣接する端面と側面が直交する部分を頂点とした直角三角形状の網戸のコーナー部保護材であって、
係止部が、網戸の竪框と横框が直交する内周部分を頂点として網戸框の二辺に沿ってそれぞれ略平行の切込みによって形成された三角形状の舌片である請求項１記載の、
網戸のコーナー部保護材。
【請求項４】
網戸のコーナー部保護材の材質がダンボール製である請求項１乃至３記載のいずれか１項に記載の、
網戸のコーナー部保護材。
【発明の詳細な説明】
【０００１】
【発明の属する技術分野】
本発明は、網戸のコーナー部保護材に関する。
【０００２】
【従来の技術】
従来から、図１に示すように、網戸Ａは、工場で網を張った状態で組み立てた後、コーナー部に三角状に組み立てたダンボールあるいは厚紙をコーナー部保護材Ｂとして差し込み、複数枚の網戸Ａを一組として結束バンドＣにより梱包結束して出荷されている。
【０００３】
梱包結束された網戸のコーナー部を破損等から保護するコーナー部保護材としては、枠体のコーナー部の隣接する端面及び側面にそれぞれ当接される当接部と枠体のコーナー部の内外面をそれぞれ覆う内面覆い部及び外面覆い部とを備えたものが知られている（例えば、特許文献１参照）。
【０００４】
一方、前記枠体のコーナー部保護材において、枠体のコーナー部保護材の取付け容易等のため、上記内面覆い部及び外面覆い部に、枠体のコーナー内外面を押圧し枠体コーナー部と枠体コーナー部保護材を圧着する押圧部を備えたものも知られている（例えば、特許文献２参照）。
【特許文献１】
実開昭５７−１０５２８６号公報（第１−２頁、第２−４図）
【特許文献２】
特開平７−３３００１１号公報（第５頁、第１図）
【０００５】
【発明が解決しようとする課題】
しかしながら、網戸の梱包結束を解いた後網戸の運搬や立てかけの際に、緩衝材としての枠体コーナー部保護材が落下し、網戸コーナー部が剥き出しになるため、網戸のコーナー部と建物内外装が接触した場合に、網戸のコーナー部及び建物内外装が破損する、という問題があった。
【０００６】
一方、上記押圧部を有する枠体のコーナー部保護材においては、網戸の梱包結束を解いた後網戸の運搬や立てかけの際でも、枠体のコーナー部と枠体のコーナー部保護材とが押圧部により圧着されているため、枠体のコーナー部保護材が枠体のコーナー部から落下することはないが、網戸に用いる場合には、コーナー部に取付け及びコーナー部からの取外しの際、押圧部と網が接触し網を傷つけるおそれがある、という問題点があった。
【０００７】
そこで、本発明の主たる課題は、網戸の梱包結束を解いた後網戸の運搬や立てかけの際に、網戸コーナー部からの落下を防ぎ、かつ網を傷つけることなく網戸のコーナーに容易に取付け及びコーナー部からの取外しを行うことができる、網戸のコーナー部保護材を提供することにある。
【０００８】
【課題を解決するための手段】
上記課題を解決した本発明は、次のとおりである。
＜請求項１記載の発明＞
枠体内に網が設けられ、前記網の面が枠体の室内面より室外側に偏位して、前記枠体の室内面と前記網の面との間に段差を有する網戸のコーナー部を覆う保護材であって、
網戸のコーナー部の隣接する端面及び側面をそれぞれ覆う端面覆い部及び側面覆い部と、網戸のコーナー部の内外面をそれぞれ覆う内面覆い部及び外面覆い部とを備え、前記端面覆い部、側面覆い部、内面覆い部及び外面覆い部は一体化され、
前記内面覆い部に前記枠体の段差面に係止可能な係止部が形成され、この係止部は、前記内面覆い部面に実質的に沿う状態と前記枠体の段差面に係止する状態とが選択可能である、
ことを特徴とする網戸のコーナー部保護材である。
【０００９】
（作用効果）
本発明では、前記網戸のコーナー部保護材は、網戸のコーナー部を端面、側面、表裏面にわたり全面的に覆っているので、網戸のコーナー部の破損を効果的に防止することができる。また網戸のコーナー部保護材の各部は一体化されているので、網戸のコーナー部保護材の組み立ての手間が低減され、かつ網戸のコーナー部からの取外しの際、係止部の係止状態を解除することで網戸のコーナー部保護材全体が取外せるので取外しの手間がかからない。さらに、網戸コーナー部保護材の落下防止のための係止部が、内面覆い部に、落下方向に対し枠体の段差面に引っ掛かるように設けられているため、網戸の梱包結束を解いた後網戸の運搬や立てかけの際に、網戸のコーナー部から落下することなく網戸コーナー部及び建物内外装を破損等から保護し、また網戸のコーナー部に取付け及びコーナー部からの取外しの際、網を傷つけることがない。したがって、落下防止のために網戸のコーナー部とコーナー保護材を接着テープ等で固定する手間が省け、また網の品質を維持しつつコーナー保護体の取付け及び取外しを容易に行うことができる。
【００１０】
＜請求項２記載の発明＞
内面覆い部が、網戸のコーナー部の隣接する端面と側面が直交する部分を頂点とした直角三角形状の網戸のコーナー部保護材であって、係止部が、前記内面覆い部の斜面の略中央に、直角に交わる他の二辺に向かってそれぞれ略平行に少なくとも一以上の切込みによって形成された三角形状の舌片である請求項１記載の、
網戸のコーナー部保護材である。
【００１１】
（作用効果）
係止部が、内面覆い部の斜面の略中央に、直角に交わる他の二辺に向かってそれぞれ略平行に少なくとも一以上の切込みによって形成された三角形状の舌片であるので、係止部の製作の手間が軽減される。そして、この係止部を網戸の内面に向かって折り曲げることで、枠体の段差面に網戸のコーナー保護材が係止され、また前記内面覆い部面に沿う状態に戻すと、容易に網戸のコーナー保護材を取外すことができるので、取外しの手間が一層低減される。
【００１２】
＜請求項３記載の発明＞
内面覆い部が、網戸のコーナー部の隣接する端面と側面が直交する部分を頂点とした直角三角形状の網戸のコーナー部保護材であって、
係止部が、網戸の竪框と横框が直交する内周部分を頂点として網戸框の二辺に沿ってそれぞれ略平行の切込みによって形成された三角形状の舌片である請求項１記載の、
網戸のコーナー部保護材である。
【００１３】
（作用効果）
係止部が、網戸の竪框と横框が直交する内周部分を頂点として網戸框の二辺に沿ってそれぞれ略平行の切込みによって形成された三角形状の舌片であるので、係止部の製作の手間が軽減される。そして、この係止部を網戸の内面に向かって折り曲げることで、枠体の段差面に網戸のコーナー部保護材が係止され、また前記内面覆い部面に沿う状態に戻すと、容易に網戸のコーナー部保護材を取外すことができるので、取外しの手間が一層低減される。
【００１４】
＜請求項４記載の発明＞
網戸のコーナー部保護材の材質がダンボール製である請求項１乃至３のいずれか１項に記載の、
網戸のコーナー部保護材である。
【００１５】
（作用効果）
ダンボールは、衝撃緩衝材として優れた効果を有するので、網戸のコーナー部と建物内外装が接触しても、双方に破損等が生じることがない。そして、仮に、係止部の折り曲げを内面覆い部面に沿う状態に戻さず、取り外すため無理に網戸のコーナー部保護材を引張った場合であっても、引張りと共に係止部の折り曲げが内面覆い部面に沿う状態に戻るため、係止部が網を傷つけることなく、網戸からの取外しが可能である。また、ダンボールは、材料費が安価であり、網戸のコーナー部保護材の各部が１枚板として一体化して製造することができるので、製造コストを低減させることができる。さらに、網戸のコーナー保護材の取外し後の回収や処分の際の手間を低減させることができる。
【００１６】
【発明の実施の形態】
以下、本発明の実施の形態を説明する。
＜第１の実施の形態＞
本発明の一実施の形態に係る網戸のコーナー部保護材１について説明する。
図２に示すように、網戸のコーナー部保護材１は網戸Ａのコーナー部四隅に取付けられ、網戸のコーナー部の隣接する端面Ａ１及び側面Ａ２を覆い、また網戸のコーナー部の内面Ａ３及び外面Ａ４（図２では図示せず）を覆うことで、網戸のコーナー部全体が覆われ、網戸の立てかけや運搬の際、網戸のコーナー部と建物内外装との接触による破損等から双方を保護する。この網戸のコーナー部保護材１は、図３に示すように、網戸のコーナー部の隣接する端面Ａ１及び側面Ａ２をそれぞれ覆う端面覆い部２及び側面覆い部３と、網戸のコーナー部の内面Ａ３及び外面Ａ４をそれぞれ覆う内面覆い部４及び外面覆い部５とを備え、前記内面覆い部４に前記枠体の段差面Ａ５に係止可能な係止部６が形成されている。
【００１７】
前記端面覆い部２、側面覆い部３、内面覆い部４、外面覆い部５及び係止部６は一体化している必要があるが、それぞれの部分が製造時に分離した状態で作られた後、接着材や接着テープ等により接合し一体化してもよいが、手間の軽減の観点から、製造時にそれぞれの部分が一体として製作されるほうが好ましい。また、製造時に一体として製作されるときに、一体成型される場合と、図５に示すように１枚板として製作される場合がある。これらは網戸のコーナー部保護材としての作用効果としては同じであるが、網戸コーナー部からの取外し後の撤去や処分等の作業効率の観点から、分解容易な１枚板で製作されるほうが好ましい。
【００１８】
また、網戸のコーナー部保護材の材料としては、網戸のコーナー部と建物内外装等との接触による衝撃を緩衝する材質であって、係止部６が内面覆い部面に実質的に沿う状態と枠体の段差面Ａ５に係止する状態とを取りうる材質を有するものであればなんでもよい。例えば、硬質樹脂材として各種プラスチック材等や軟質樹脂材として各種ゴム材等、又は紙材としてダンボール、ボール紙、板紙等が考えられる。
【００１９】
網戸のコーナー部の隣接する端面Ａ１及び側面Ａ２は、網戸のコーナー部保護材１の端面覆い部２及び側面覆い部３によって保護される。これら端面覆い部２及び側面覆い部３の短辺の長さは、図３，４に示すように、端面Ａ１及び側面Ａ２を保護するために、少なくとも網戸框の厚さＡｄよりも長くしておく必要があるが、端面覆い部２及び側面覆い部３の長辺に接合する内面覆い部４及び外面覆い部５が、網戸のコーナー部の内面Ａ３及び外面Ａ４を挟持できるように、網戸框の厚さＡｄよりも若干長くする程度が好ましい（例えば、２０ｍｍ程度）。
【００２０】
また、端面覆い部２及び側面覆い部３の長辺方向の長さは、少なくとも網戸のコーナー部の隣接する端面Ａ１及び側面Ａ２と建物内外装とが接触しても双方に破損等を生じない程度の長さが必要である（例えば、１５０ｍｍ程度）。図２では、端面覆い部２及び側面覆い部３の長辺方向の長さは、直角三角形状の内面覆い部４及び外面覆い部５のそれぞれの直交する二辺の長さと等しくなっているが、必ずしも等しくなっている必要はなく、端面覆い部２及び側面覆い部３の長辺方向の長さがこれら二辺より長くても短くてもよい。
【００２１】
網戸のコーナー部の内面Ａ３及び外面Ａ４は、網戸のコーナー部保護材１の内面覆い部４及び外面覆い部５によって保護される。これらの大きさは、少なくとも網戸のコーナー部の内面Ａ３及び外面Ａ４と建物内外装とが接触しても双方に破損等を生じない程度の大きさが必要である。したがって、内面覆い部４及び外面覆い部５の形状が、四角形、三角形等である場合のそれぞれの辺の長さは、上記の大きさから決まってくる。また、内面覆い部４については、上記大きさの条件に加えて、後に詳述する係止部６を設けることができる必要があり、具体的には、この係止部６を網戸の枠体の段差面Ａ５に係止して落下を防止する必要があることから、少なくとも内面覆い部４の一部が、図３に示すように、網戸の枠体の段差面Ａ５よりも網面側に突出していることが好ましい。
【００２２】
網戸の梱包結束を解いた後網戸の運搬や立てかけの際に、網戸のコーナー部から網戸のコーナー部保護材１の落下を防止するために、内面覆い部４には、係止部６が設けられている。図３に示すように、この係止部６は内面覆い部４の斜面の略中央部に、直角に交わる他の二辺に向かってそれぞれ略平行に少なくとも一以上の切込みを入れ、この切込み６ａによって形成された三角形状の舌片を網戸Ａの框内周側へ折り曲げることによって形成される。この折り曲げられた係止部６が網戸の枠体の段差面Ａ５に係止されることによって、網戸のコーナー部保護材１の落下が防止される。また、係止部６を内面覆い部４に複数設けることによって、網戸のコーナー部保護材１の落下防止機能を高めることも考えられる。
【００２３】
図３、４に示すように、この三角形状の舌片を形成する際の切込み６ａの長さ、すなわち網戸の枠体の段差面Ａ５に当接する辺の長さは、網戸Ａの搬入や立てかけ等の際に網戸の枠体の段差面Ａ５に前記係止部６が係止され、少なくとも網戸のコーナー部保護材１が落下しない程度の長さを要し、かつ網戸コーナー部からの取外しの際に、網Ａ６に引っ掛からない程度の長さである（例えば、１０ｍｍ程度）。
【００２４】
また、網戸のコーナー部から網戸のコーナー部保護材１を取外す場合には、この係止部６を内面覆い部４に沿う状態まで起こし、その後網戸のコーナー部保護材１を引き抜けばよい。しかし、上述のように、切込み６ａの長さは網Ａ５に引っ掛からない程度の長さであるので、係止部６を折り曲げた状態で取外しても網の破れ、傷等を生じる恐れはない。
【００２５】
この係止部６により網戸のコーナー部保護材１が網戸の枠体の段差面Ａ５に係止され、網戸の梱包結束を解いた後網戸の運搬や立てかけの際に、網戸コーナー部から落下することなく網戸コーナー部及び建物内外装を破損等から保護することができ、また網Ａ６の破れ、傷等を生じる恐れなく網戸のコーナー部に取付け及びコーナー部からの取外しを容易に行うことができる。
【００２６】
次に、網戸のコーナー部保護材１が、製造時に１枚板で一体化して製作される場合の組み立て手順及び必要部材について説明する。
【００２７】
図５に示すように、側面覆い部３と内面覆い部４及び外面覆い部５との間の折り曲げ線１０に沿って、内面覆い部４及び外面覆い部５を側面覆い部３と直角になるまで同方向に折り曲げる。そして、端面覆い部２と底部７をそれぞれ内面覆い部４と外面覆い部５との間の折り曲げ線１１，１２に沿ってそれぞれが重なり合うように、それぞれ内面覆い部４及び外面覆い部５と直角に曲げる。この際、内面覆い部４、外面覆い部５と端面覆い部２、底部７の折り曲げ順序についてはどれから折り曲げ始めてもよい。
【００２８】
その後、差込部８を、差込部８と底部７との間の折曲げ線１３に沿って、底部７と直角になるまで折り曲げた後、差込口９に差込部８を挿入して端面覆い部２と底部７とを固定する。
【００２９】
なお、図６に示すように端面覆い部２の下に底部７がくることになるが、この場合は、網戸Ａを立てかけた際の衝撃をより緩衝するクションとして機能する。しかし底部７は必ずしも必要ではなく、底部７がない場合には、端面覆い部２の端部と外面覆い部５の端部とを接着テープ等により固定すればよい。また、差込部８と差込口９は必ずしも必要ではなく、差込部８と差込口９がない場合には、端面覆い部２と底部７とを接着等により固定すればよい。
【００３０】
そして、網戸のコーナー部保護材１を網戸コーナー部に取付け、係止部６を、係止部６と内面覆い部４との間の折り曲げ線１４に沿って、網戸框内周側に内面覆い部４と直角に折り曲げ、係止部６を網戸の枠体の段差面Ａ５に係止する。
【００３１】
＜第２の実施の形態＞
本発明の一実施の形態に係る網戸のコーナー部保護材１５について説明する。
なお、網戸のコーナー部保護材１５の材質や形状、大きさ、組み立て手順及び必要部材等の説明は、第１の実施の形態と重複するため省略する。
【００３２】
図７，８に示すように、係止部６は、内面覆い部４の網戸の竪框と横框が直交する内周部分を頂点として網戸框の二辺に沿ってそれぞれ略平行の切込みを入れ、この切込み６ｂによって形成された三角形状の舌片を網戸Ａの框内周側へ折り曲げることによって形成される。この折り曲げられた係止部６が網戸の枠体の段差面Ａ５に係止されることによって、網戸のコーナー部保護材１５の落下が防止される。また、係止部６を内面覆い部４に複数設けることによって、網戸のコーナー部保護材１５の落下防止機能を高めることも考えられる。
【００３３】
図７，８に示すように、切込み６ｂの長さは、網戸Ａの搬入や立てかけ等の際に網戸の枠体の段差面Ａ５に前記係止部６が係止され、少なくとも網戸のコーナー部保護材１５が落下しない程度の長さを要し、かつ網戸コーナー部からの取外しの際に、網Ａ６に引っ掛からない程度の長さである（例えば１４ｍｍ程度）。
【００３４】
また、網戸のコーナー部から網戸のコーナー部保護材１５を取外す場合には、この係止部６を内面覆い部４に沿う状態まで起こし、その後網戸のコーナー部保護材１５を引き抜けばよい。しかし、上述のように、切込み６ｂの長さは網Ａ６に引っ掛からない程度の長さであるので、係止部６を折り曲げた状態で取外しても網Ａ６の破れ、傷等を生じる恐れはない。
【００３５】
この係止部６により網戸のコーナー部保護材１５が網戸の枠体の段差面Ａ５に係止され、網戸の梱包結束を解いた後網戸の運搬や立てかけの際に、網戸のコーナー部から落下することなく網戸コーナー部及び建物内外装を破損等から保護することができ、また網の破れ、傷等を生じる恐れなく網戸のコーナー部に取付け及びコーナー部からの取外しを容易に行うことができる。
【００３６】
【発明の効果】
以上のとおり、本発明によれば、網戸の梱包結束を解いた後でも、網戸の運搬や立てかけ等の際に網戸のコーナー部保護材が落下することがないので、落下防止のために網戸のコーナー部とコーナー保護材を接着テープ等で固定する手間が省け、また網の品質を維持しつつコーナー保護材の取付け及び取外しを容易に行うことができる等の利点がもたらされる。
【図面の簡単な説明】
【図１】出荷時に網戸が梱包された状態を示す斜視図である。
【図２】本発明の第１の実施の形態に係る網戸のコーナー部保護材を網戸の各コーナーに取付けた状態を示す正面図である。
【図３】図２に示される網戸のコーナー部保護材のＩＩ−ＩＩ´拡大斜視図及び網戸の拡大断面斜視図である。
【図４】図２、３に示される網戸のコーナー部保護材を網戸に取付けた状態を示すＩ−Ｉ´拡大断面図である。
【図５】図３に示される網戸のコーナー部保護材の、製造時に一枚板で一体化して製作される場合の展開図である。
【図６】図５に示される展開図から組み立てられた網戸のコーナー部保護材の拡大斜視図である。
【図７】本発明の第２の実施の形態に係る網戸のコーナー部保護材の拡大斜視図及び網戸の拡大断面斜視図である。
【図８】図７に示される網戸のコーナー部保護材を網戸に取付けた状態を示す拡大断面図である。
【図９】図７に示される網戸のコーナー部保護材の、製造時に１枚板で一体化して製作される場合の展開図である。
【図１０】図９に示される展開図から組み立てられた網戸のコーナー部保護材の拡大斜視図である。
【符号の説明】
１，１５…網戸のコーナー部保護材、２…端面覆い部、３…側面覆い部、４…内面覆い部、５…外面覆い部、６…係止部、６ａ，６ｂ…切込み、７…底部、８…差込部、９…差込口、１０，１１，１２，１３，１４，１６…折り曲げ線、Ａ…網戸、Ａ１…網戸のコーナー部端面、  Ａ２…網戸のコーナー部側面、Ａ３…網戸のコーナー部の内面、Ａ４…網戸のコーナー部外面、Ａ５…網戸の枠体の段差面、Ａ６…網、Ｂ…従来例の網戸のコーナー部保護材、Ｃ…結束バンド。
【図１】
2004168353.tif 000003
【図２】
2004168353.tif 000004
【図３】
2004168353.tif 000005
【図４】
2004168353.tif 000006
【図５】
2004168353.tif 000007
【図６】
2004168353.tif 000008
【図７】
2004168353.tif 000009
【図８】
2004168353.tif 000010
【図９】
2004168353.tif 000011
【図１０】
2004168353.tif 000012